(57)【要約】      （修正有）【課題】弾性蓋と通気弁の隙間からの洗浄液の侵入を防止する。【解決手段】車軸と、車軸の軸端に取り付けられる軸箱と、軸箱の内部と外部とを仕切る弾性蓋５を備えた軸受装置において、弾性蓋の頂部には、外部と内部を貫通する貫通穴１６が設けられている。貫通穴に、外部と内部の圧力を調整する通気弁１７が嵌合されている。通気弁の頭部外周面１９が外側開口穴３７内に納められている。したがって、洗浄液を弾性蓋にかけて洗浄しても、弾性蓋に直接洗浄液がかかり、通気弁の外周面に直接洗浄液はかかることはなく通気弁の外周面の一部めくれを防止し、軸箱内に洗浄液が侵入するのを防止する。【選択図】図３
2013121833.tif 000002
【特許請求の範囲】
【請求項１】
鉄道車両の車軸の軸端位置に取り付けられる軸箱と、前記軸箱の内部と外部とを仕切る弾性蓋と、前記弾性蓋に設けられた貫通穴に嵌合された通気弁と、を備えた鉄道車両用の車軸の軸受装置において、
前記貫通穴は、外側開口穴と、小径穴とが順次設けられており、
前記通気弁は、頭部と、頸部と、を有し、
前記通気弁頸部が前記貫通穴小径穴に嵌合されており、前記頭部の外周面が前記外側開口穴内に納められていること特徴とする軸受装置。
【請求項２】
前記頭部の軸方向長さが前記外側開口穴深さと同じであることを特徴とする請求項１に記載の軸受け装置。
【請求項３】
前記外側開口穴端縁部が前記弾性蓋端面より突出し、環状凸部を形成していることを特徴とする請求項１または２に記載の軸受装置。
【請求項４】
前記環状凸部の外側形状が多角柱又は円柱を形成していることを特徴とする請求項３に記載の軸受装置。
【請求項５】
前記環状凸部の外側形状が円錐台又は多角錐台であることを特徴とする請求項3に記載の軸受装置。
【請求項６】
前記環状凸部は前記弾性蓋と別部材であることを特徴とする請求項１乃至5のいずれか一に記載の軸受装置。
【発明の詳細な説明】
【技術分野】
【０００１】
本発明は、鉄道車両の軸受装置に関し、特に軸箱の内部と外部とを仕切る弾性蓋と通気弁を有する軸受装置に関する。
【背景技術】
【０００２】
従来、鉄道車両の軸受装置では、車軸を支承する車軸軸受の軸箱への防水、防塵を目的とした弾性蓋が設けられている。軸受を内蔵した軸箱は、車両の走行による発熱で温度が上昇する。このとき軸端位置が弾性蓋で完全閉鎖されていると、軸箱内部は車両の走行による発熱で温度が上昇し、空気の膨張により内圧が高まり、潤滑材として塗布されているグリースが漏れるという問題があった。そこで、弾性蓋に通気弁を取り付け、軸箱外内部の圧力差を調整している。
【０００３】
また、軸箱を洗浄する場合にあっても、洗浄液が軸箱内に入ると軸受に悪影響を及ぼすため、弾性蓋により密封させる。台車洗浄では、高温高圧の洗浄液を用いるので軸箱内部の温度が上昇する。この場合も軸受装置が弾性蓋により完全に閉鎖されていると、空気の膨張により内圧が高まり、潤滑材として塗布されているグリースが漏れるという問題があった。さらに、高温高圧による台車洗浄後、軸受装置は外気で冷却されて内部の温度が下がり、軸箱内部が減圧となった場合、外部から洗浄液が浸入するという問題があった。
【０００４】
そこで、特許文献１では、軸箱内部の温度上昇を防止するために車軸の前ブタ（弾性蓋）中央に貫通穴が穿設されている。この貫通穴に通気穴ブリーザ（通気弁頭部）が接着剤等により取り付けられている。また、特許文献２においては、多量の洗浄液を弾性蓋に噴射した場合でも軸箱内部の洗浄液の侵入を防止するために、通気弁の外表面を覆う弾性被覆部材を設けた弾性蓋が開示されている。
【先行技術文献】
【特許文献】
【０００５】
【特許文献１】実公昭６２−１０３６６４
【特許文献２】特開２００４−２３１０３２
【発明の概要】
【発明が解決しようとする課題】
【０００６】
しかし、軸受装置を洗浄する際、弾性蓋に高温高圧の洗浄液を四方八方から吹き付けて洗浄するため、通気弁や通気弁と弾性蓋との隙間から軸箱の内部に洗浄液が入ってしまうという問題があった。
【０００７】
例えば、特許文献１では、通気弁と弾性蓋との隙間から洗浄液が進入する。また、特許文献２では、洗浄の際、通気弁を覆う弾性被覆部材に設けられた空気穴に向かって洗浄液が噴き付けられた場合には、空気孔から洗浄液が入り込んでしまう。そして、空気孔から入り込んだ洗浄液が通気弁を通過し軸箱に入り込んでしまい、軸受に悪影響をおよぼしてしまうという問題があった。さらに、弾性被覆部材は、通気弁全体を覆うので、コストもかかるという問題があった。
【０００８】
本発明の課題は、前述した問題点に鑑みて、弾性蓋と通気弁との隙間から、あるいは弾性被覆部材からの洗浄液の侵入を防止する軸受装置を提供することである。
【課題を解決するための手段】
【０００９】
本発明者等は鋭意研究の結果、図７に示すように、通気弁１７の外周面１９に洗浄液３１が付着すると、冷却時に、通気弁１７と弾性蓋５との隙間３２から軸箱内へ洗浄液３１が侵入してしまうことを知得した。さらに、洗浄液３４によって通気弁１７の頭部１８の外周面１９の一部３３がめくれ、めくれた一部３３に洗浄液３４がたまり、頸部２０に弾性蓋５との隙間３５に洗浄液３４が入ってしまうということを知得した。
【００１０】
この知得に基づき、本発明においては、鉄道車両の車軸の軸端位置に取り付けられる軸箱と、前記軸箱の内部と外部とを仕切る弾性蓋と、前記弾性蓋に設けられた貫通穴に嵌合された通気弁と、を備えた鉄道車両用の車軸の軸受装置において、前記貫通穴は、外側開口穴と、小径穴とが順次設けられており、前記通気弁は、頭部と、頸部と、を有し、前記通気弁頸部が前記貫通穴小径穴に嵌合されており、前記頭部の外周面が前記外側開口穴内に納められている軸受装置を提供することにより、前述した課題を解決した。
【００１１】
即ち、通気弁の頭部の外周面が外側開口穴内に納められているので、洗浄液が通気弁頭部外周面に直接あたることがなく、外周面の一部がめくれることがない。頭部外周面と外側開口穴とは、０．５ｍｍ以下の微小すきま或いは隙間なしにされる。
【００１２】
また、請求項２に記載の発明においては、前記頭部の軸方向長さが前記外側開口穴深さと同じであることとした。
【００１３】
また、請求項３に記載の発明においては、前記外側開口穴端縁部を前記弾性蓋端面より突出させ、環状凸部を形成した。即ち、弾性蓋端面に通気弁を内包する環状凸部を形成する。これにより、開口穴端縁部を除いて、弾性蓋の厚みを薄くできる。
【００１４】
さらに、請求項４の記載の発明においては、前記環状凸部の外側形状を多角柱又は円柱とした。これにより、環状凸部の形状が単純形状となる。
【００１５】
また、請求項５に記載の発明においては、前記環状凸部の外側形状を円錐台又は多角錐台とした。これにより、洗浄液が環状凸部に当たっても、洗浄液が錐面に沿って外方へ逃げる。
【００１６】
また、請求項６に記載の発明においては、前記環状凸部は前記弾性蓋と別部材であるとした。これにより、環状凸部を強化素材とすることもできる。
【発明の効果】
【００１７】
本発明によれば、通気弁の頭部外周面が外側開口穴内に納められている。すなわち、高温高圧の洗浄液を弾性蓋にかけて洗浄しても、通気弁と弾性蓋との隙間から洗浄液が侵入しないので、軸受内部への洗浄液の侵入を防止する。さらに、洗浄液が直接通気弁の外周面に当たらず、外周面の一部が液圧によってめくられることがないので、外周面から頸部に洗浄液が入り込むことがないという効果を奏するものとなった。
【００１８】
さらに台車洗浄後、軸受装置は外気にさらされ急激に冷めても、頭部外周面や頸部の隙間に洗浄液の付着がほとんどないため、軸箱内部に洗浄液が入り込むことはない。
【００１９】
通気弁の外部からの干渉を少なくできる（請求項２）。
【００２０】
開口穴端縁部が弾性蓋端面より突出させ、環状凸部を形成させたので、弾性蓋を薄くできるので、弾性蓋の材料費を少なくできる。（請求項３）。
【００２１】
又、環状凸部は、外周形状を多角柱等の筒状形状の単純形状としたので、加工しやすく、経済性を高めることとなった（請求項４）。
【００２２】
環状凸部を円錐台又は多角錐台とし、洗浄液が錐面に沿って外部へ逃げ易くしたので、通気弁への洗浄液の付着が少なくなり、防水効果を高めるものとなった（請求項５）。
【００２３】
環状凸部を弾性蓋と別部材としたので、弾性蓋は容易に加工ができ、加工工数の削減と経済性を高める（請求項６）。なお、環状凸部を弾性蓋とを一体とした場合は、環状凸部がはがれることがなく、長時間の使用が可能なものとなる。
【図面の簡単な説明】
【００２４】
【図１】（ａ）は本発明の実施の形態を示す軸受装置の部分断面図であり、（ｂ）は（ａ）の矢印Ａからみた弾性蓋の正面図である。
【図２】図１（ｂ）の弾性蓋のＢ−Ｂ線部分断面図である。
【図３】図２の弾性蓋の通気弁取り付け部分の拡大断面図である。
【図４】（ａ）は通気弁の拡大断面図あり、（ｂ）は（ａ）の矢印Ｃからみた通気弁の正面図である。
【図５】他の実施の形態を示す、図１（ｂ）の弾性蓋のＢ−Ｂ線相当部分断面図である。
【図６】図５の弾性蓋の通気弁取り付け部分の拡大断面図である。
【図７】従来の弾性蓋内への洗浄液の侵入形態を示す実験結果の説明図である。
【００２５】
本発明の実施の形態について、図面を参照して説明する。図１（ａ）は本発明の実施の形態を示す軸受装置の部分断面図であり、（ｂ）は（ａ）の矢印Ａからみた弾性蓋の正面図である。図２は、図１（ｂ）の弾性蓋のＢ−Ｂ部分断面図、図３は、図２（ａ）の弾性蓋の拡大断面図、図４は、（ａ）は通気弁の拡大断面図あり、（ｂ）は（ａ）の矢印Ｃからみた通気弁の正面図である。
【００２６】
図１（ａ）、（ｂ）に示すように、本発明における軸受装置１には、鉄道車両における車軸２と、車軸２の軸端３に取り付けられる軸箱４と、軸箱４の内部と外部とを仕切る弾性蓋５を備えている。軸箱４には、軸端３と、軸端３を支承する軸受６と、軸受６を固定する軸ナット７と、軸ナット７を固定する廻り止め座金８と、廻り止め座金８を固定する六角ナット９と、シール１０が備えられている。この構造は、弾性蓋５を有する軸受装置としては一般的なものであり、詳細については省略する。
【００２７】
図１又は図２に示すように、弾性蓋５は薄い円錐台の外観であり、断面形状は台形である。弾性蓋５には、頂部１１と、テーパ部１２と、円筒部１３と、つば部１４とが順次設けられている。さらに、円筒部１３及びつば部１４の弾性蓋内側には嵌合部１５が設けられている。嵌合部１５と、軸箱４内のシール１０とが嵌合して、弾性蓋５により軸箱４を密閉する。さらに、弾性蓋５の頂部１１の中央には、外部と内部を貫通する貫通穴１６が設けられている。貫通穴１６には、外側開口穴３７と、小径穴３８と、内側開口穴３９とが順次設けられている。
【００２８】
貫通穴１６には、外部と内部の圧力を調整する通気弁１７が嵌合されている。通気弁１７には図３に示すように、つば状の頭部１８、くびれ形状の頸部２０、本体２１が順次形成されている。本体２１には筒状の胴部２２とテーパのある脚部２３が形成されている。通気弁１７は弾性蓋５の貫通穴１６に外側から内側に向けて嵌合される。貫通穴１６の小径穴３８に通気弁１７の頸部２０を嵌合した後は、胴部２２と頭部１８とで弾性蓋縁部３６をはさみ、貫通穴５から抜け落ちないようにされ、通気弁１７が貫通穴１６に固定される。なお、図では、内側開口穴３９に嵌合さているが、内側開口穴３９を設けずに弾性蓋５の内側面に係止させてもよい。
【００２９】
さらに、通気弁１７の頭部１８の外周面１９に沿って弾性蓋端面４０より突出している外側開口端縁部４１が弾性蓋５側に設けられている。外側開口穴端縁部４１は円柱の環状凸部２４を形成している。通気弁１７が弾性蓋５に嵌合された後は、外周面１９と環状凸部２４の外側開口穴３７とは密着又は微小な隙間となる。隙間は頭部直径１０ｍｍ程度で０．５ｍｍ以下が好ましい。
【００３０】
通気弁１７は、図４に詳細に示すように、頭部１８の中央にスリット２５の切り込みが軸方向に貫通して形成されている。このスリット２５は常時は通気弁１７の弾力で閉じられており、軸箱４と軸箱外部の圧力差が所定以上となったときに、通気弁１７の弾力に抗してスリット２５が開かれて、空気が吸入又は排出される。
【００３１】
かかる実施の形態において、その作用について説明すると、図３に示すように、洗浄液を弾性蓋７にかけて洗浄しても、環状凸部２４によって、外周面１９に直接洗浄液はかかることはない。したがって、洗浄液が外周面１９に付着することはない。さらに、外周面１９の一部が洗浄液によってめくられることがなく、洗浄液が頭部１８から頸部２０に入ることもない。弾性蓋５と環状凸部２４を一体に形成すれば、部品点数が少なくてすむ。また、図中、点線で示すように別体としてもよい。
【００３２】
次に本発明の他の実施の形態について説明する。図５は、他の実施の形態を示す図１（ｂ）の弾性蓋のＢ−Ｂ線相当部分断面図、図６は図５の弾性蓋の通気弁取り付け部の拡大断面図である。図５、６に示すように、環状凸部２４を形成することなく、通気弁１７の頭部１８の外周面１９が、弾性蓋端面４０に開けられた外側開口穴３７に納められている。その他については、前述したのと同様であるので、説明を省略する。
【００３３】
以上本発明の実施の形態について述べたがこれはあくまで例示であり、環状凸部２４の形状は円柱に変えて、多角錐、円錐、多角柱でもよい。さらに、環状凸部２４は頭部１８とほぼ同じ高さでも、頭部１８以上の高さでもよい。
【００３４】
さらに、例えば場合によって弾性蓋５の材質をゴムやプラスチックその他の材質と成すことも可能であり、環状凸部２４と弾性蓋５と異なる部材であってもよい。本発明はその趣旨を逸脱しない範囲において種々変更を加えた形態で構成可能である。
【符号の説明】
【００３５】
１      軸受装置
２      車軸
３      軸端
４      軸箱
５      弾性蓋
１６    貫通穴
１７    通気弁
１８    頭部
１９    頭部の外周面
２０    頸部
２４    環状凸部
３７    外側開口穴
３８    小径穴
４０    弾性蓋端面
４１    外側開口穴端縁部
【図１】
2013121833.tif 000003
【図２】
2013121833.tif 000004
【図３】
2013121833.tif 000005
【図４】
2013121833.tif 000006
【図５】
2013121833.tif 000007
【図６】
2013121833.tif 000008
【図７】
2013121833.tif 000009